(57)【要約】      （修正有）【課題】設置場所の立地条件に柔軟に対応可能な軽量、薄型で高効率の垂直回転、間欠空間風車風力発電装置の提供。【解決手段】  軽量と薄型風車全体を簡単構造に徹底することで、風車回転方向勾配角度60度前後の極力空気抵抗を削減した流線形の間欠空間風車である受風風車回転効率に優れ、あらゆる方向から吹き付ける風又強風に対処する二重破損防止安全構造と多機能を備え、一般家庭の自家発電に住宅の屋根に、ビルの屋上にあらゆる設置場所の立地条件に柔軟に対応可能な軽量、薄型の垂直回転、間欠空間風車風力発電装置である。【選択図】    図１
2006046090.tif 000002
【特許請求の範囲】
【請求項１】
二組一対で風車羽根を形成する片面勾配角度３０度前後に加工又縁側部分にビス穴を加工した上下の受風板、大型の歪み防止兼用幅広外輪枠組中心に回転軸を固定、複数の枠組みが放射状に幅広外輪に一体化、枠組み両サイドは広い間欠空間形状部分で軽量化、又要所要所のビス穴は部材組立簡素化、車輪型枠組に設けたビス穴と二組一対の上下受風板のビス穴に合わせボルトで組立固定する幅広外輪枠組に組立完成で間欠空間風車は回転方向勾配角度６０度前後の極力空気抵抗を削減した流線型の間欠空間風車形状。
【請求項２】
請求項１記載の間欠空間部分は突風、強風等に対処する方法に広い間欠空間部分から過速風を逃がす構造の破損防止装置付き間欠空間風車は歪み防止兼用幅広外輪部分はベアリング二段滑車の中央部分を回転する幅広外輪付きの間欠空間風車は弱風時で通常回転で突風、強風の風で起きる間欠空間風車のあおり、ゆがみ防止を二段滑車の制御をする間欠空間風車破損防止安全装置。
【請求項３】
請求項１、２記載の間欠空間風車の回転軸の上部先端はベアリング付きクロスアーム主柱に支える又回転軸下部先端もベアリング台座で支える又台座はベースに固定する回転軸に大型の二段プーリーを固定しタイミングベルトは発電機のプーリーに連結する。もう一方のタイミングベルトは電磁クラッチ、プーリー付き発電機のプーリーに連結する。又それぞれの発電機にアジャストプレートを装着し、二本のタイミングベルトの張りを調整する装置である。又タイミングベルトのほかにチェーンとか歯車等の駆動装置も可能である。回転軸に回転スピードセンサー装置を取り付け、一部センサー配線を電磁クラッチ装置に接続、二基の機種違いの発電機の増設である。
【請求項４】
請求項２、３記載の間欠空間風車は１〜１．５ｍ風速で回転開始し当初発電機は一基での発電開始である。一定風速では一方の電磁クラッチのプーリーはタイミングベルトとともに空転している。強風になると風圧が高く高速回転になると同時に回転スピードセンサー装置が一定回転以上超えると空転していたプーリーの電磁クラッチ装置に電源が入り電磁クラッチ、プーリーで発電機を回転し発電開始をする二基の発電機で同時発電が出来又風が弱まるとセンサーが感知し電磁クラッチ装置の電源が切れ再びプーリーの空転が始まる。二基の発電機と全体の装置を防水カバーで保護する。
【発明の詳細な説明】
【技術分野】
【０００１】
本発明の垂直回転、間欠空間、風力発電装置は自然の風エネルギーを利用し電気エネルギーに変換することが出来る。日常生活の場所である住宅、ビルの屋上に設置する風力発電装置は、全国で盗難事件が起きている、農家が一年間丹精込めて栽培した収穫物の高級なサクランボ、メロン、スイカ、桃、葡萄、リンゴ、米までさまざまな収穫物の盗難は夜間に起きており、その要因は栽培する田畑、果樹園が農家居住区から遠く離れたところにあるからであり、そこで防犯灯や監視カメラ、サイレン等警報装置の電源の電力供給を垂直回転、間欠空間、風力発電装置で発電を可能とする。
【背景技術】
【０００２】
近年、地球環境の温暖化対策として炭酸ガス等の大気を汚染する気体の排気量を制限することが国際的にも問題になっている。そして炭酸ガス等の排出するエネルギーに代わってクリーンエネルギーを利用することが急速に進んでいる。そこで太陽光発電装置や風力発電等で電力を生み出す研究開発が進められている。例えば、山頂や海岸地域において超大型プロペラ風力発電を始めとし（「特開２０００−１５５８４９」）これは風の流体の力を羽根で効率よく受けて回転型発電装置の提供。（「特開２０００−２１４３１８」）風はスライド式開閉固定翼の揚力を利用、風を中心部に空気を圧縮上部に排出する垂直軸型風力発電装置である。しかしこれらの風力発電装置の場合には設置場所を制限されるものでさらに一方の発明に関しては複雑な機構と大きく幅広構造の垂直軸型風力発電装置である。そこで本発明の垂直発電、間欠空間、風力発電装置は風力発電装置の簡素化と、いかに効率の高い風車の形状の開発と強風等の耐圧で風車の破損防止安全装置兼用の幅広外輪を設けた間欠空間風車と二基の機種の違う発電機を採用することで高効率の風力発電装置と設置場所の立地条件に柔軟に対応可能な軽量で薄型で高効率の垂直回転、間欠空間風車、風力発電装置を提供することを課題とする。
【発明の開示】
【発明が解決しようとする課題】
【０００３】
従来の垂直回転の風力発電装置の風車構造は縦長で幅広の高さのある形状の風力発電装置では設置場所等の制限があった。又強風が吹くと運転を中止する風力発電装置であった。
【０００４】
上記課題を解決する方法として、垂直回転風力発電専用の軽量で薄型形状の風車の開発が必要であった。又自然の強力な風エネルギーの突風、強風等にも対処できる破損防止を兼ねた堅牢構造で軽量、薄型で簡単構造で故障のない受風回転効率の高い風車形状開発である。軽量の風車の駆動装置を薄型風車形状にすることで全体薄型で安定した据え置き型の垂直回転の風力発電装置で又風車回転に連結する回転スピードセンサー装置の採用で機種の違う二基の発電機で高効率の発電を向上させる装置の提供と課題である。
【課題を解決するための手段】
【０００５】
上記目的を達成する手段として風車基礎構体となる大型の幅広外輪枠組は複数に放射状に枠組が幅広外輪と一体化され要所要所にビス穴が開けられ又中心に回転軸が固定されている。又枠組の左右両側は広い間欠空間形状になっている。二組一対で風車を形成する上部受風板と下部受風板の絶縁部分にビス穴を開けてあり、幅広外輪枠組両面から上部受風板と下部受風板を挟む状態にそれぞれのビス穴を合わせてネジ等で固定する又はスポット溶接等も可能である。又受風板片面勾配角度３０度前後加工し二組一対を幅広外輪枠組の要所要所に組立完了すると幅広外輪形状の間欠空間風車の完成である。風車回転勾配角度６０度前後の極力空気抵抗を削減した流線形の間欠空間風車は軽量で薄型構造で風力発電の駆動装置である。風車全体の破損防止用の広い間欠空間部分は突風、強風等に対処するための間欠空間から、過速風を逃がす構造の間欠空間風車とさらに回転軸上部先端を支えるベアリング付きクロスアーム主柱の内側４ヶ所に固定した二段滑車の空間中央に間欠空間風車の幅広外輪部分が入り回転する。突風、強風時に間欠空間風車のあおり又歪みの防止を二段滑車が制御する間欠空間風車の破損防止安全装置である。回転軸下部先端はベアリング台座で支えられ又台座はベースに固定する。回転軸に固定した大型の二段プーリーに連結するタイミングベルトは発電機のプーリーに連結する。もう一方のタイミングベルトは電磁クラッチ、プーリー付き発電機のプーリーに連結する。又それぞれの発電機にはアジャストプレートに装着しタイミングベルトの張りの調整をする。又タイミングベルトのほかにチェーンとか歯車等の駆動装置も可能である。風車回転に連動する回転スピードセンサー装置の取り付けで一部のセンサー端子を電磁クラッチ装置に接続した二基の機種違いの発電機を増設することが出来る。間欠空間風車は１〜１．５ｍの風速から風車回転開始で当初は一基だけの発電機での発電開始である。その時に一方の電磁クラッチ、プーリー付きの発電機のプーリーはタイミングベルトで回転し続けている。風が強くなると受風する間欠空間風車の高速回転が始まると同時に回転スピードセンサー装置が一定速度以上超えた時に空転していたプーリーの電磁クラッチ装置にセンサーにより電源が入り電磁クラッチ、プーリーで発電機が発電を開始する。二基の発電機の同時発電で高効率の発電供給が出来る方法である。又風速が弱くなると当然間欠空間風車の回転が遅くなると回転スピードセンサー装置で電磁クラッチの電源が切れると同時にプーリーとタイミングベルトは空転を始める。二基の発電機と全体の装置を防水カバーで保護する。
【発明の効果】
【０００６】
本発明の垂直回転、間欠空間風車、風力発電装置は風力発電駆動中の風切音等の騒音又は振動は皆無である。住宅の屋根、ビルの屋上、又農業用の機材、防犯灯等の電源用に、漁業用に、あらゆる施設に設置対応できるように軽量で薄型形状に完成した間欠空間風車装置は二重の破損防止安全装置を兼ね、又高効率の受風風車回転形状等多機能な装置と強弱の風をセンサーが感知し、二基の発電機による同時発電電力供給方法の提供にある。
【発明を実施するための最良の形態】
【０００７】
上記のように構成されたソーラー垂直回転、間欠空間風車、風力発電装置の間欠空間風車構造はあらゆる天候で吹き荒れる風速にも対処できる風車の二重破損防止等と多機能を備え、さらに発電機を増設することで強風等でも風力発電装置を止めることなく高効率の発電を可能とする。薄型構造にすることで設置場所の立地条件に柔軟に対応可能な垂直回転、間欠空間、風力発電装置。
【実施例】
【０００８】
以下、この発明の実施例を図面に基づいて説明する。６．の回転軸を固定した１．の幅広外輪枠組には部材組立の簡素化目的の１７．のビス穴を設ける。内輪部から放射状に通る枠組のそれぞれ左右に広い５．の間欠空間になる、幅広外輪枠組の両面から挟む状態に組み立てる二組一対の２．の上部受風板と３．の下部受風板の固定縁部分にビス穴を開ける。この上下受風板の勾配角度３０度前後に加工する、幅広外輪枠組のビス穴と受風板のビス穴とを合わせ両面よりネジで固定するか又はスポット溶接で固定する。幅広外輪枠組に両側から受風板で固定することで頑丈で堅牢な構造の間欠空間の４．の風車の完成である。風車回転勾配角度６０度前後の極力空気抵抗を削減した流線形の風車は受風による回転効率に優れた風力駆動装置で広い間欠空間部分が軽量化になり又この間欠空間部分は、突風、強風を受風市回転する風車の過損防止回避策で余剰風、過速風を逃す間欠空間風車の破損防止安全構造である。間欠空間風車の回転軸の上部先端を７．のベアリング付きクロスアーム主柱で支える。回転軸下部先端は８．のベアリング台座で支える。又ベアリング台座は１４．のベースにボルトで固定する。ベアリング付きクロスアーム主柱の外側の要所要所の４ヶ所に１５．の収風板を固定する。又、内側の要所要所に１９．の歪み防止二段滑車を固定する。ベアリング付きクロスアーム主柱の４ヶ所の歪み防止二段滑車の中間を幅広外輪付きの間欠空間風車の通常回転では二段滑車に接触することはない。ただし、間欠空間風車に対する自然エネルギーは前後左右から吹き付ける予想もつかない強風に対処する方法で間欠空間部分から過速風を逃がす方法とさらに強力な風圧で起きるあおり、ねじれ、歪みを幅広外輪部分と歪み防止二段滑車装置で制御する間欠空間風車の二重破損防止安全装置である。間欠空間風車回転軸に固定する大型の９．の二段プーリーの装着し回転する１０．のタイミングベルトは１１．の発電機のプーリーに連結する。又一方のタイミングベルトは１２．の電磁クラッチ、プーリー付き発電機のプーリーに連結する。又それぞれの発電機に１８．のアジャストプレートを装着する二本のタイミングベルトの張りを調整する装置である。その他の駆動装置にチェーン装置とか歯車等の駆動装置も可能である。回転軸に連結する１３．の回転スピードセンサー装置の一部センサー配線を電磁クラッチに装着する。間欠空間風車は１〜１．５ｍの風速で回転開始する回転軸連結の二段プーリー装着の二本のタイミングベルト駆動回転で一本のタイミングベルトはプーリーを回転させ一基だけの発電機で電力供給をする。一方の電磁クラッチ、プーリーはタイミングベルトとともにプーリーは空転し続けている。強風が吹き始まると高速回転する間欠空間風車と同回転の回転スピードセンサー装置が一定回転スピードを越えるとセンサーが感知すると電磁クラッチ装置に電源が入ると電磁クラッチ、プーリーとタイミングベルトで空転中瞬時に電磁クラッチが稼動タイミングベルトでプーリーで発電機の電力供給を開始する。二基の発電機の同時発電供給である。又強風が収まると間欠空間風車の回転も遅くなると回転スピードセンサー装置が感知し電磁クラッチ装置の電源を切ると再び電磁クラッチのプーリーとタイミングベルトが空転を始める。弱風の時でも又強風の時でも風力発電の運転を中止することなく自然の風エネルギーを無駄なく利用する。１６．の防水カバーで二基の発電機、回転スピードセンサー装置等々を砂塵、雨水等から完全に保護をする。本装置全体は錆びない部材を利用した垂直回転、間欠空間風車、風力発電装置である。
【図面の簡単な説明】
【０００９】
【図１】本発明に係る垂直回転、間欠空間風車、風力発電装置の一部断面図及び側面図である。
【図２】本発明に係る幅広枠組外輪の内側から放射状に通る枠組の左右に広い間欠空間部分を設けた平面図である。
【図３】本発明に係る上部受風板と下部受風板の固定縁部分にビス穴を開けた全体を示す斜面図である。
【図４】本発明に係る幅広外輪、間欠空間風車にベアリング付きクロスアーム主柱の四方に収風板を固定した全体を示す平面図である。
【図５】本発明に係る二基の発電機の下に固定したアジャストプレートを示す平面図である。
【符号の説明】
【００１０】
１．幅広外輪枠組
２．上部受風板
３．下部受風板
４．風車
５．間欠空間
６．回転軸
７．ベアリング付きクロスアーム主柱
８．ベアリング台座
９．二段プーリー装着
10．タイミングベルト
11．発電機
12．電磁クラッチ、プーリー付き発電機
13．回転スピードセンサー装置
14．ベース
15．収風板
16．防水カバー
17．ビス穴
18．アジャストプレート
19．歪み防止二段滑車
【図１】
2006046090.tif 000003
【図２】
2006046090.tif 000004
【図３】
2006046090.tif 000005
【図４】
2006046090.tif 000006
【図５】
2006046090.tif 000007